(57)【要約】【課題】生産性や製造コストをそれほど犠牲にすることなく平行スエージ加工による減面率を大幅に高めることができる管の加工方法および平行スエージ加工装置を提供する。【解決手段】素管１０を支持し軸方向へ移動させるクランプ１１と、クランプ１１に支持された素管１０に挿入可能なマンドレル１２と、素管１０の端部を絞ってマンドレル１２に密着させるダイとを備えた平行スエージ加工装置において、前記ダイを、固定ダイ（第１のダイ）１３と固定ダイ１３の内径よりも小さい内径を有する可動ダイ（第２のダイ）１４とから構成し、始めにクランプ１１により素管１０を前進させて固定ダイ１３により１段目平行スエージ工程を実施し、続いて可動ダイ１４を固定ダイ１３側へ前進させて、可動ダイ１４により素管１０の端部をマンドレル１２に密着させる２段目平行スエージ工程を実施する。【選択図】図１
2005074458.tif 000002
【特許請求の範囲】
【請求項１】
素管にマンドレルを挿入し、ダイにより平行スエージ加工を行って素管の端部を前記マンドレルに密着させる管の加工方法であって、前記平行スエージ加工は、第１のダイにより素管を絞る１段目平行スエージ工程と、前記第１のダイと同軸上に配置した、該第１のダイの内径よりも小さい内径を有する第２のダイにより素管を絞る２段目平行スエージ工程とを含むことを特徴とする管の加工方法。
【請求項２】
位置固定の第１のダイに素管を押込んで１段目平行スエージ工程を実施した後、第２のダイを第１のダイに接近させて２段目平行スエージ工程を実施することを特徴とする請求項１に記載の管の加工方法。
【請求項３】
素管として溶接管を用い、２段目平行スエージ工程後、素管をマンドレルと一体に第１および第２のダイから引抜いて半径外方向から押ダイを接近させ、該押ダイと前記マンドレルとの協働により素管の溶接部を押潰すことを特徴とする請求項１または２に記載の管の加工方法。
【請求項４】
素管を支持し軸方向へ移動させるクランプと、該クランプに支持された素管に挿入可能なマンドレルと、前記素管の端部を絞って前記マンドレルに密着させるダイとを備えた平行スエージ加工装置において、前記ダイを、第１のダイと該第１のダイの内径よりも小さい内径を有する第２のダイとから構成し、前記第１のダイを位置固定的に配置すると共に、前記第２のダイを、前記第１のダイに対して前記クランプと反対側から接近離間させるようにしたことを特徴とする管の加工装置。
【請求項５】
位置固定の第１のダイとクランプとの間に、マンドレル上の素管に対して半径外方向から接近離間する押ダイを配設したことを特徴とする請求項４に記載の管の加工装置。
【発明の詳細な説明】
【技術分野】
【０００１】
本発明は、管の端部を塑性加工により所定寸法形状に仕上げる加工方法および該加工方法の実施に向けて好適な平行スエージ加工装置に関する。
【背景技術】
【０００２】
例えば、複筒式の油圧緩衝器は、図６に示すように、ピストン（図示略）を摺動可能に内装した内筒１を有底の外筒２内に納め、前記ピストンに一端が連結されたロッド（ピストンロッド）３の他端部を、内筒１および外筒２の開口端部に共通に嵌合したロッドガイド４とオイルシール５とを挿通して外部へ延ばし、ピストンロッド３の進入、退出分の油液を内筒１と外筒２との間の、ガスおよび油液が封入されたリザーバ６で補償する構造となっている。
【０００３】
このような油圧緩衝器において、上記ロッドガイド４およびオイルシール５は、外筒２の端部に圧入されると共に、外筒２の開口端部を内側に折り曲げた曲げ片２ａにより位置固定されている。また、外筒２の端部には、通常その外周側に圧入固定した状態で、バンプラバー（図示せず）を受止めるキャップ７が装着されている。すなわち、外筒２の開口端部は、その内周面８Ａがロッドガイド４の嵌合部として、その外周面８Ｂがキャップ７の圧入部としてそれぞれ供されるようになっており、このため、その内径および外径の寸法はもとより、同心度、真円度等に高精度が要求される。また、外筒２の開口端部の内周８Ａは、オイルシール５の圧入時にこれに傷を付けないように優れた面粗度を確保する必要があった。
【０００４】
ところで従来、上記外筒２の製造には、一般に電縫管等の電気溶接管を素管として用い、その端部を機械加工（旋削）することにより所望の寸法形状精度と面粗度とを確保するようにしていた。しかし、機械加工により端部加工を行う従来一般の方法によれば、精密加工を必要とするため、機械加工そのものに多くの工数と時間がかかり、加工コストの上昇が避けられない、という問題があった。また、機械加工により生じた切粉やバリが内面に付着して、これらが異物（コンタミネーション）として油圧緩衝器内に入り込む虞もあった。
【０００５】
そこで、上記外筒２の端部を塑性加工により仕上げることが種々検討されており、特許文献１には、素管にマンドレルを挿入し、ダイにより平行スエージ加工を行って素管の端部を前記マンドレルに密着させる加工方法が記載されている。このような加工方法によれば、平行スエージ加工によりマンドレルとダイとの間で素管の端部が絞られかつ減面（肉厚減少）されるので、優れた寸法形状精度および面粗度を確保することができるようになる。
【０００６】
【特許文献１】特開２００３−２２５７２５号公報
【発明の開示】
【発明が解決しようとする課題】
【０００７】
しかしながら、上記特許文献１に記載の加工方法によれば、一回の平行スエージ加工で所定の減面率を確保する必要があるため、例えば、ストラット式サスペンション用の油圧緩衝器のごとき厚肉の外筒を対象に所望の減面率を確保しようとすると、平行スエージ加工に必要な成形力が素管の座屈荷重を超えてしまって、成形不能の事態に陥ることになり、その適用は限られたものとなっていた。
なお、この問題に対処するには、平行スエージ加工を複数回行って徐々に減面率を高めていけばよいが、この場合は、工程を移して、あるいは加工工具を段替えして平行スエージ加工を行わなければならいため、生産性の低下や製造コストの上昇が避けられないようになる。
【０００８】
本発明は、上記した問題点に鑑みてなされたもので、その課題とするところは、生産性や製造コストをそれほど犠牲にすることなく平行スエージ加工による減面率を大幅に高めることができる管の加工方法を提供し、併せてこの加工方法を効率よく実施するための平行スエージ加工装置を提供することにある。
【課題を解決するための手段】
【０００９】
上記課題を解決するため、本発明に係る管の加工方法は、素管にマンドレルを挿入し、ダイにより平行スエージ加工を行って素管の端部を前記マンドレルに密着させる管の加工方法であって、前記平行スエージ加工は、第１のダイにより素管を絞る１段目平行スエージ工程と、前記第１のダイと同軸上に配置した、該第１のダイの内径よりも小さい内径を有する第２のダイにより素管を絞る２段目平行スエージ工程とを含むことを特徴とする。このように行う管の加工方法においては、平行スエージ加工を第１のダイと第２のダイとにより２段に行うので、素管に座屈が発生しない成形力を選択して各段の平行スエージ加工を行っても、トータルとして十分に高い減面率が得られ、その上、工程移管や段替えが不要になる。
【００１０】
本加工方法においては、位置固定の第１のダイに素管を押込んで１段目平行スエージ工程を実施した後、第２のダイを第１のダイに接近させて２段目平行スエージ工程を実施するのが望ましい。
また、素管として溶接管を用い、２段目平行スエージ工程後、素管をマンドレルと一体に第１および第２のダイから引抜いて半径外方向から押ダイを接近させ、該押ダイと前記マンドレルとの協働により素管の溶接部を押潰すようにしてもよい。
【００１１】
上記課題を解決するため、本発明に係る平行スエージ加工装置は、素管を支持し軸方向へ移動させるクランプと、該クランプに支持された素管に挿入可能なマンドレルと、前記素管の端部を絞って前記マンドレルに密着させるダイとを備えた平行スエージ加工装置において、前記ダイを、第１のダイと該第１のダイの内径よりも小さい内径を有する第２のダイとから構成し、前記第１のダイを位置固定的に配置すると共に、前記第２のダイを、前記第１のダイに対して前記クランプと反対側から接近離間させるようにしたことを特徴とする。
本平行スエージ加工装置は、位置固定の第１のダイとクランプとの間に、マンドレル上の素管に対して半径外方向から接近離間する押ダイを配設する構成としてもよい。
【発明の効果】
【００１２】
本発明に係る管の加工方法によれば、座屈を発生させることなく平行スエージ加工による減面率を十分に高くすることができるので、適用範囲が拡大する。また、平行スエージ加工を第１のダイと第２のダイとにより連続して２段に行うので、工程移管や段替えの必要がなく、生産性および製造コスト面で有利となる。
【００１３】
また、本加工方法において、位置固定の第１のダイに素管を押込んで１段目平行スエージ工程を実施した後、第２のダイを第１のダイに接近させて２段目平行スエージ工程を実施する場合は、２段の平行スエージ加工を円滑にかつ安定して行うことができる。
また、素管として溶接管を用い、２段目平行スエージ工程後、押ダイとマンドレルとの協働により素管の溶接部を押潰すようにした場合は、別途機械加工により溶接部を後加工する必要がなくなる。
【００１４】
本発明に係る平行スエージ加工装置によれば、位置固定の第１のダイに対してクランプと第２のダイとを交互に移動させて、２段平行スエージ加工を効率よく行うことができる。
また、本製造装置において、マンドレル上の素管に対して半径外方向から接近離間する押ダイを配設した場合は、素管として溶接管を用いても、その溶接部を平坦に押潰すことができ、利用価値は向上する。
【発明を実施するための最良の形態】
【００１５】
以下、本発明を実施するための最良の形態を図面に基づいて詳細に説明する。
図１〜図３は、本発明に係る管の加工方法を実施するための平行スエージ加工装置を示したものである。本実施形態は、前記図６に示した油圧緩衝器の外筒２の端部を塑性加工により所定の寸法形状に仕上げようとするもので、ここでは、その素管１０として電気抵抗溶接管（電縫管）を用いている。この電縫管は、製造時のビードカットにより外周面は平滑となっているが、その内周面には溶接ビード（溶接部）が凸状ビードまたは凹状ビードとして存在している。本装置は、前記素管１０を支持するクランプ１１と、このクランプ１１に支持された素管１０に挿入可能なマンドレル１２と、このマンドレル１２に嵌合可能な２つのリング状ダイ１３、１４と、マンドレル１２上の素管１０に対して半径方向から接近離間する押ダイ１５および受ダイ１６とを備えている。
【００１６】
上記マンドレル１２は、図示を略す駆動手段にクッションシリンダを介して支持されており、加工開始時点では、図１に示すようにその先端部が２つのリング状ダイ１３、１４を挿通してクランプ１１側に位置決めされるようになっている。マンドレル１２は、図２によく示されるように、その先端側に本体部２０に対して段差２１を介して続く小幅のテーパ成形部２２と、このテーパ成形部２２に続く平行成形部２３と、この平行成形部２３に続く、該平行成形部２３よりわずか小径の逃げ部２４とを備えている。平行成形部２３は、前記ロッドガイド４およびオイルシール５が嵌合される外筒２の内周面８Ａ（図６）に整合する寸法形状を有し、また、テーパ成形部２２は、この外筒２の折曲片２ａの内縁に必要とするテーパ面８Ｃ（図６）に整合する寸法形状を有している。
【００１７】
上記各リング状ダイ１３、１４はマンドレル１２の軸方向に同軸上に直列に配置され、それぞれは、ダイホルダ３０、３１にボルト３２、３３を用いて締付け固定されている。ダイホルダ３０、３１のうち、クランプ１１側の一方のダイ１３を保持するダイホルダ３０は位置固定的に配置され、クランプ１１から遠い側の他方のダイ１４を保持するダイホルダ３１は、前記位置固定のダイホルダ３０に対して接近離間可能に配置されている。すなわち、一方のダイ１３は固定ダイとして、他方のダイ１４は可動ダイとしてそれぞれ構成されており、可動ダイ１４は、図示を略す駆動手段によりダイホルダ３１が進退動することで、加工開始時点では、固定ダイ１３に対して一定距離を開けた後退端に位置決めされるようになっている（図１）。
【００１８】
ここで、各リング状ダイ１３、１４は、図３によく示されるように、その内径側に中高となるベアリング部３６を備えると共に、このベアリング部３６の両側に端面に向けて次第に内径を拡大するガイド部３７を備えている。前記ベアリング部３６は、後述する平行スエージ加工に直接関与する部分であり、その幅Ｗはかなり狭く（０.５〜１.０ｍｍ程度）設定されている。また、このベアリング部３６の内径（口径）Ｄは、固定ダイ（第１のダイ）１３と可動ダイ（第２のダイ）１４とで異なった値に設定され、可動ダイ１４の内径は固定ダイ１３の内径よりもわずか（一例として、直径で０.４ｍｍ程度）大きくなっている。なお、固定ダイ１３の内径は、上記マンドレル１２の平行成形部２３（図２）の直径に、前記外筒２の開口端部の最終的な肉厚ｔ（２ｔ）を上乗せした大きさとなっている。また、前記ガイド部３７のテーパ角度θは、一例として２０度程度に設定されている。
【００１９】
本実施形態において、上記クランプ１１は、図示を略す駆動手段により固定ダイ１３に対して進退動するようになっている。加工開始時においてクランプ１１は、固定ダイ１３から大きく離間する後退端に位置決めされており、素管１０はこの後退端に位置決めされているクランプ１１に支持（セット）される。一方、押ダイ１５と受台１６とは半径方向に相対移動可能に配設されており、加工開始時には、図示を略す駆動手段により前記クランプ１１の移動範囲から後退する後退端に位置決めされている。なお、クランプ１１の後方には、素管１０の溶接ビードを前記押ダイ１５に対して割出すビード検出機構（例えば、カメラを有する画像処理装置）および回転機構（図示略）を配設してもよく、クランプ１１による素管１０の支持に先行してこの回転機構を作動させることで、素管１０は回転方向に正確に位置決めされる。
【００２０】
以下、上記した平行スエージ加工装置を用いて行う加工方法を図４も参照して説明する。
本加工方法の実施に際しては、図１に示すように、クランプ１１に素管１０をセットした後、クランプ１１を前進させる。この時、前記回転機構（図示略）を利用してまたは手動により素管１０を、その溶接ビードが押ダイ３３に対向するように回転方向に位置決めする。クランプ１１の前進により素管１０の先端部が位置固定のダイホルダ３０を挿通して固定ダイ１３内に進入し、先ず素管１０の先端が固定ダイ１３のガイド部３７に当接する。
【００２１】
そして、クランプ１１がさらに前進すると、図４（１）に示すように、素管１０の先端部が固定ダイ１３のガイド部３２に沿って絞られると共に、その先端がマンドレル１２の段差２１に当接する。これにより、マンドレル１２には、クランプ１１の推進力が負荷され、マンドレル１２はそのクッションシリンダのクッション圧（背圧）に抗して素管１０と一体に後退する。すると、固定ダイ（第１のダイ）１３のベアリング部３６により素管１０の先端部が絞られ、１段目の平行スエージ加工が進行する。そして遂には、図４（２）に示すように、素管１０の先端が可動ダイ（第２のダイ）１４のガイド部３７に到達し、この段階でクランプ１１の前進が停止され、１段目の平行スエージ加工（工程）が終了する。なお、この１段目の平行スエージ工程においては、最初に素管１０の先端部がマンドレル１２のテーパ成形部２２（図３）に密着し、前記外筒２のテーパ面８Ｃ（図６）に相当するテーパ面が成形される。
【００２２】
その後、図４（３）に示すように、可動ダイ１４が固定ダイ１３側へ前進する。この時、クランプ１１は停止位置を維持し、これにより素管１０も位置固定された状態となっており、また、マンドレル１２もクッションシリンダのクッション圧（背圧）によって位置固定された状態となっている。したがって、前記したように可動ダイ１４が固定ダイ１３側へ前進すると、可動ダイ１４のベアリング部３６により素管１０の先端部がさらに絞られ、２段目の平行スエージ加工が進行し、これにより、素管１０の内面がマンドレル１２の平行成形部２３に密着する。この可動ダイ１４の前進は、そのベアリング部３６がマンドレル１２の平行成形部２３を超えた段階で停止され、これにて２段目の平行スエージ加工（工程）は終了する。この結果、素管１０の先端部には、前記ロッドガイド４およびオイルシール５が嵌合される外筒２の内周面８Ａとして必要な内径寸法および前記キャップ７が圧入される外筒２の外周面８Ｂとして必要な外径寸法が確保されると共に、必要な同心度および真円度が確保される。
【００２３】
上記２段目の平行スエージ工程が終了すると、クランプ１１が後退し、この後退に連動してマンドレル１２が前進し、図４（４）に示すように、素管１０の先端部が可動ダイ１４および固定ダイ１３から抜ける。クランプ１１は、外筒２の内周面８Ａに相当する部分が押ダイ１５に対向する位置まで移行した段階でその後退が停止され、この後退停止により押ダイ１５と受ダイ１６とが、図４（４）に示すように相対移動してマンドレル１２に接近する。すると、素管１０に存在していた溶接ビードが、この押ダイ３３によりマンドレル１２の平行成形部２３に押圧され、これにより、該溶接ビード（凸状ビード、凹状ビード）は押し潰され、素管１０の内周面８Ａは平滑に仕上がる。この時、受ダイ１６によりマンドレル１２の後背部がバックアップされているので、前記溶接ビードは確実に押し潰される。その後は、押ダイ１５と受ダイ１６とが原位置に後退すると共に、クランプ１１とマンドレル１２とが原位置に後退し、マンドレル１２が完成品としての外筒２から抜ける。
【００２４】
このように完成した外筒２は、その開口端部が所望の寸法形状に仕上げられ、かつ所望の内面粗度に仕上げられているので、該開口端部に対するロッドガイド４およびオイルシール５の嵌合組付けを円滑に行うことができると共に、キャップ７の圧入を円滑に行うことができる。また、その開口端の内縁にはテーパ面８Ｃが形成されているので、オイルシール５の装入組付けを円滑にするための面取り加工も不要になる。また、平行スエージ加工を２段に行っているので、素管１０に座屈が発生しない成形力を選択して各段の平行スエージ加工を行っても、トータルとして十分に高い減面率が得られ、本加工方法は、ストラット式サスペンション用油圧緩衝器の外筒の加工にも安定して適用できるようになる。  なお、本発明は、素管１０として、上記電縫管に代えて、ＴＩＧ溶接管、ＭＩＧ溶接管、プラズマ溶接管等の他の電気溶接管を用いることができるほか、継目無し管を用いることができる。
【００２５】
また、上記実施形態では、１段目の平行スエージ加工（工程）終了後、素管１０を保持するクランプ１１を停止すると共に、マンドレル１２をクッションシリンダのクッション圧（背圧）によって位置固定した状態で、次の２段目の平行スエージ加工（工程）に移行するようにしたものを示したが、本発明は、別段これに限らず、以下のように平行スエージ加工を実施するようにしても構わない。
【００２６】
すなわち、１段目の平行スエージ加工（工程）の終了間際にマンドレル１２を所定位置で油圧ロックするなどして固定し、その後、素管１０を保持するクランプ１１をわずか前進させて所定位置で停止させることで１段目の平行スエージ加工（工程）を終了するようにする。そして、その状態を保持しつつ、次の２段目の平行スエージ加工（工程）に移行させるようにする。この場合、素管１０を上下方向から保持するクランプ１１およびマンドレル１２を、それぞれ所定位置で固定しているので、平行スエージ加工を実施することにより発生する素管１０の軸方向伸び側への寸法変化を、素管によらず一定の範囲に抑えることができ、完成品としての外筒２の軸方向における寸法誤差（バラツキ）を抑えることができる。なお、この２段目の平行スエージ加工（工程）による増肉分は、マンドレル１２の小径の逃げ部２４側へ逃げる。
【実施例１】
【００２７】
素管１０として、ＳＴＫＭ１２Ｂからなる外径５０.８ｍｍ、肉厚２.９ｍｍサイズのものを用い、図１に示した平行スエージ加工装置により２段平行スエージ加工を行った。成形装置は、そのマンドレル１２およびダイ１３、１４として、ＳＫ３の熱処理品（ＨＲＣ ５０〜５５）を用い、マンドレル１２については、その平行成形部２３の外径を４４.２ｍｍに設定し、固定ダイ（第１のダイ）１３およぼ可動ダイ（第２のダイ）１４については、それぞれのベアリング部３６の内径を、種々の減面率が得られるように種々に変化させた。そして、マンドレル１２にかかるクッション圧（背圧）を２０〜４０ｋＮの範囲に設定して、上記した１段目平行スエージ工程と２段目平行スエージ工程とを実施し、各段の平行スエージ工程の実施に必要とする成形力を求めた。
【００２８】
図５は、上記のようにして求めた成形力を減面率で整理して示したものである。同図中、破線は、上記素管について予め求めた座屈荷重（約１５０ｋＮ）を表しており、これより、１段目平行スエージ工程では減面率１３％程度まで、２段目平行ステージ工程では減面率１０％程度までそれぞれ素管の座屈荷重を下回っている。この場合、安全を考慮すれば、成形圧を座屈荷重の約８０％以下（１２０ｋＮ以下）に抑えるのが望ましい。これを満足する成形圧から換算した減面率は、１段目平行スエージ工程で約１０％、２段目平行スエージ工程で約８％となる。この場合、１段目および２段目の平行スエージ工程を合せたトータルとしての減面率は約１７％となり、ストラット式サスペンション用油圧緩衝器の外筒の加工に適用しても、十分満足する減面率を確保できる、といえる。なお、１段目平行スエージ工程と２段目平行スエージ工程とを比較すると、各減面率に対して２段目平行ステージ工程の成形力が１段目平行スエージ工程の成形力よりも大きくなっているが、これは、加工硬化の影響によるものである。
【図面の簡単な説明】
【００２９】
【図１】本発明に係る平行スエージ加工装置の要部構造を示す断面図である。
【図２】本平行スエージ加工装置で用いるマンドレルの構造を示す断面図である。
【図３】本平行スエージ加工装置で用いるダイの構造を示す断面図である。
【図４】本平行スエージ加工装置を用いて実施する本発明に係る管の加工方法を工程順に示す断面図である。
【図５】本発明の実施例で得られた減面率と成形力との関係を示すグラフである。
【図６】本発明の加工対象である外筒を装備した油圧緩衝器の要部構造を示す断面図である。
【符号の説明】
【００３０】
２    油圧緩衝器の外筒
１０  素管
１１  クランプ
１２  マンドレル
１３  固定ダイ（第１のダイ）
１４  可動ダイ（第２のダイ）
１５  押ダイ
１６  受ダイ
３０、３１  ダイホルダ
【図１】
2005074458.tif 000003
【図２】
2005074458.tif 000004
【図３】
2005074458.tif 000005
【図４】
2005074458.tif 000006
【図５】
2005074458.tif 000007
【図６】
2005074458.tif 000008